(57)【特許請求の範囲】
【請求項１】
底壁と該底壁の片側端から延出する片側壁とから規定された窓ガラス縁部受入空間を備え、該底壁の他側部には押縁基部装着開口が形成されている合成樹脂製枠本体と、該枠本体に装着され、その一部は該押縁基部装着開口の幅方向内側部分内に位置して該押縁基部装着開口の開口幅を低減する調整部材とを含む窓枠。
【請求項２】
該底壁は真直に延在し、該片側壁は該底壁に対して垂直に延出する、請求項１記載の窓枠。
【請求項３】
該調整部材は該底壁の表面に沿って、該表面における該押縁基部装着開口よりも幅方向内側から該押縁装着開口の幅方向内側縁を超えて幅方向外方に延びる第一の部分と、該第一の部分の幅方向外側部から該押縁装着開口内に進入する第二の部分と、該第二の部分に続いて該底壁の裏面に沿って幅方向内側に延びる第三の部分とを有する、請求項１又は２記載の窓枠。
【請求項４】
該調整部材の該第一の部分が該底壁に固定される、請求項３記載の窓枠。
【請求項５】
該枠本体は該押縁基部装着開口の内側を該底壁と平行に延在する受壁を有し、該調整部材は該受壁の表面に沿って延びる第一の部分と、該第一の部分の幅方向内側部から該押縁基部装着開口に向かって延びる第二の部分と、該押縁基部装着開口の幅方向内側縁から幅方向外方に延びる第三の部分とを有する、請求項１又は２記載の窓枠。
【請求項６】
該調整部材は該第一の部分の幅方向外側部から該底壁に向かって延び、上端は該押縁基部装着開口よりも幅方向外側において該底壁の裏面に対向する第四の部分を有し、該第二の部分の幅方向内側面には該押縁基部装着開口よりも幅方向内側において該底板の裏面に対向する突条が形成されている、請求項５記載の窓枠。
【請求項７】
該調整部材は合成樹脂製である、請求項１から６までのいずれかに記載の窓枠。
【発明の詳細な説明】
【技術分野】
【０００１】
本発明は、合成樹脂製枠本体と、厚い窓ガラス縁部の収容を許容するために枠本体に装着される調整部材とを含む窓枠に関する。
【背景技術】
【０００２】
当業者には周知の如く、特に寒冷地方においては、断熱効果が優れた合成樹脂製窓枠が広く使用されると共に、２枚又は３枚のガラス板が間隔をおいて平行に配列された複数ガラス板から構成された窓ガラスが広く使用されている。一般に、２枚のガラス板が間隔をおいて平行に配列された窓ガラスはペアガラスと称され、３枚のガラス板が間隔をおいて平行に配列された窓ガラスはトリプルガラスと称されている。ペアガラスよりもトリプルガラスの方が一般に断熱効果が高く、トリプルガラスにおいてはガラス間の間隔が大きい程、従って全体の厚さが大きい程断熱効果が高い。それ故、断熱効果、製造コスト或いは窓ガラスが配設される建造物の状況等に鑑みて、ペアガラス、全体の厚さが比較的小さいトリプルガラス、又は全体の厚さが比較的大きいトリプルガラスを選択的に使用することが望ましい。然るに、選択される窓ガラスに応じて夫々専用の窓枠を製作する場合には、必然的に窓枠の製作コストが過大になる。
【０００３】
下記特許文献１には、窓枠の製造コストを抑制するために、１枚のガラス板から構成された比較的薄い窓ガラスのために設計された窓枠を、比較的厚い窓ガラスにも適用することができるようになすために、窓枠の内側に比較的厚い窓ガラスを収容するのに適した付加窓枠を連結することが開示されている。比較的薄い窓ガラスの場合には窓枠をそのまま使用し、比較的厚い窓ガラスの場合には窓枠の内側に付加窓枠を装着して使用する。
【先行技術文献】
【特許文献】
【０００４】
【特許文献１】特開２００８−２８５８１９公報
【発明の概要】
【発明が解決しようとする課題】
【０００５】
而して、上記特許文献１に開示されている解決様式には、（１）付加窓枠の装着によって収容可能な窓ガラスの面積（縦及び横寸法）が低減されてしまう、（２）収容される窓ガラスが、窓枠の幅方向外側縁を超えてはみ出し、外観が劣化されてしまう、という問題がある。
【０００６】
本発明は、上記事実に鑑みてなされたものであり、その主たる技術的課題は、上述したとおりの他の問題を発生させることなく、比較的薄い窓ガラスに適用される窓枠を比較的厚い窓ガラスにも適用することを許容する、新規且つ改良された窓枠を提供することである。
【課題を解決するための手段】
【０００７】
本発明によれば、上記主たる技術的課題を達成する窓枠として、底壁と該底壁の片側端から延出する片側壁とから規定された窓ガラス縁部受入空間を備え、該底壁の他側部には押縁基部装着開口が形成されている合成樹脂製枠本体と、該枠本体に装着され、その一部は該押縁基部装着開口の幅方向内側部分内に位置して該押縁基部装着開口の開口幅を低減する調整部材とを含む窓枠が提供される。
【０００８】
好ましくは、該底壁は真直に延在し、該片側壁は該底壁に対して垂直に延出する。該調整部材は該底壁の表面に沿って、該表面における該押縁基部装着開口よりも幅方向内側から該押縁装着開口の幅方向内側縁を超えて幅方向外方に延びる第一の部分と、該第一の部分の幅方向外側部から該押縁装着開口内に進入する第二の部分と、該第二の部分に続いて該底壁の裏面に沿って幅方向内側に延びる第三の部分とを有するのが好適であり、この場合該調整部材の該第一の部分が該底壁に固定されるのが好都合である。該枠本体は該押縁基部装着開口の内側を該底壁と平行に延在する受壁を有し、該調整部材は該受壁の表面に沿って延びる第一の部分と、該第一の部分の幅方向内側部から該押縁基部装着開口に向かって延びる第二の部分と、該押縁基部装着開口の幅方向内側縁から幅方向外方に延びる第三の部分とを有するのも好適であり、この場合該調整部材は該第一の部分の幅方向外側部から該底壁に向かって延び、上端は該押縁基部装着開口よりも幅方向外側において該底壁の裏面に対向する第四の部分を有し、該第二の部分の幅方向内側面には該押縁基部装着開口よりも幅方向内側において該底板の裏面に対向する突条が形成されているのが好都合である。好ましくは、該調整部材は合成樹脂製である。
【発明の効果】
【０００９】
本発明の窓枠によれば、枠本体の押縁基部装着開口に調整部材を装着することによって押縁基部装着開口の幅方向内側部が閉塞されて押縁基部装着開口の開口幅が低減され、従って比較的薄い押縁の基部を押縁基部装着開口の閉塞されていない幅方向外側部に装着して枠本体の片側壁と押縁との間隔を比較的大きくすることができ、比較的厚い窓ガラスの縁部を窓ガラス縁部受入空間内に収容することが許容される。調整部材を枠本体の押縁基部装着開口に装着することによって収容可能な窓ガラスの面積（縦及び横寸法）が小さくなることはなく、また窓ガラスが枠本体から幅方向外側或いは内側にはみ出すこともない。
【図面の簡単な説明】
【００１０】
【図１】本発明に従って構成された窓枠の好適実施形態を示す横断面図。
【図２】図１に図示する窓枠における窓枠本体の横断面図。
【図３】図１に図示する窓枠における調整部材の横断面図。
【図４】図１に図示する窓枠の使用様式を説明するための横断面図。
【図５】本発明に従って構成された窓枠の他の好適実施形態を示す横断面図。
【図６】図５に図示する窓枠における調整部材を示す横断面図。
【図７】図５に図示する窓枠の使用様式を説明するための横断面図。
【図８】本発明に従って構成された窓枠（框）の更に他の好適実施形態を示す横断面図。
【図９】図８に図示する窓枠（框）における枠本体（框本体）の横断面図。
【図１０】図８に図示する窓枠（框）の使用様式を説明するための横断面図。
【発明を実施するための形態】
【００１１】
以下、本発明に従って構成された窓枠の好適実施形態を図示している添付図面を参照して、更に詳細に説明する。
【００１２】
図１及び図２を参照して説明すると、全体を番号２で示す、本発明に従って構成された窓枠は枠本体４を含んでいる。硬質塩化ビニルの如き適宜の合成樹脂から形成することができる枠本体４は、周知の如く、所要横断面形状を有する長尺部材を押出成形し、かかる部材を適宜の長さに切断して上枠部材、下枠部材、片側部材及び他側部材を形成し、上枠部材の両端を片側部材及び他側部材の上端に溶着すると共に下枠部材の両端を片側部材及び他側部材の下端に溶着することによって形成することができる。上枠部材、下枠部材、片側部材及び他側部材の溶着される端部は所定方向に４５度の傾斜角度で傾斜しているのが好都合である。
【００１３】
それ自体は周知の形態でよい図示の枠本体４は、窓ガラス内外方向（図１及び図２において左右方向）に実質上真直に延びる底壁６とこの底壁６の片側端（内側端）から底壁６に対して実質上垂直に延出する片側壁８とを備えており、かかる底壁６と片側壁８とによって窓ガラス縁部収容空間１０が規定されている。底壁６の他側部（外側部）には所定幅Ｗ１で長手方向に延在する押縁基部装着開口１２が形成されている。一方、片側壁８の上端には幅方向外側に突出する横断面形状がＬ字状の突条１４及び横断面形状が逆Ｌ字状の突条１６によって規定されたシール片装着手段が配設されている。
【００１４】
枠本体４は、更に、上記底壁６よりも下方に離隔して窓ガラス内外方向に実質上真直に延びる基壁１８を有し、この基壁１８の内側端（図１及び図２において右側端）には横断面形状が逆Ｌ字形状である付加基壁２０が接続されている。付加基壁２０には図１及び図２において上記片側壁８と実質上平行にその幅方向内側を真直に延在する内壁２２が接続されており、この内壁２２の上端は上記突条１６に接続されている。上記底壁６には、その幅方向外端（図１及び図２において左端）から底壁６に対して実質上垂直に下方に延びる外壁２４、上記押縁基部装着開口１２よりも幾分幅方向内側において底壁６に対して実質上垂直に下方に延びる補強壁２６が接続されている。外壁２４と補強壁２６との上端部間には、上記押縁基部装着開口１２の内側（図１及び図２において下方）を底壁６と平行に延びる受壁２８が接続されている。枠本体４は、更に、片側壁８の下端部と内壁２２との間を接続する補強壁３０、外壁２４と補強壁２６との間を接続する補強壁３２、及び基壁１８の幅方向外側端と外壁２４の下端部間を接続する補強壁３４を有する。かような枠本体４は、建造物の躯体における窓開口規定部位に固定され、従って嵌め殺し窓の窓枠として使用される。
【００１５】
図１及び図３を参照して説明を続けると、本発明に従って構成された窓枠２は、上記枠本体４に加えて、枠本体４に装着される調整部材３６を含んでいることが重要である。硬質塩化ビニルの如き適宜の合成樹脂から押出成形することができる図示の調整部材３６は、図１に図示する如く枠本体４に所要とおりに装着された時に、枠本体４の底壁６の表面（図１において上面）に沿って押縁基部装着開口１２よりも幅方向内側から押縁基部装着開口１２の幅方向内側縁を超えて幅方向外方に実質上真直に延びる第一の部分３８と、この第一の部分３８の幅方向外側部から押縁基部装着開口１２内に進入する第二の部分４０と、この第二の部分４０の下端部から底壁６の裏面（図１において下面）に沿って幅方向内方に延びる第三の部分４２と、更に第三の部分４２の幅方向中央部から下方に突出する第四の部分４４とを有する。かような調整部材３６が枠本体４の所要部位に装着されると、図１に図示する如く、枠本体４の押縁基部装着開口１２の幅方向内側部が調整部材３６によって塞がれ、押縁基部装着開口１２の開口幅がＷ２に低減される。後に言及する如く、枠本体４の窓ガラス縁部受入空間１０に窓ガラスの縁部が収容されると、調整部材３６が枠本体４の所要部位から変位することが阻止される故に、調整部材３６を枠本体４に所要部位に固定することは必ずしも必要ではないが、例えば調整部材３６の第一の部分３８を止めねじ、接着剤或いは両面接着テープの如き適宜の固着手段（図示していない）によって枠本体４の底壁６に固定するのが好都合である。上述したとおりの調整部材３６は枠本体４の長手方向に連続的に延在する形態であるのが好適であるが、所望ならば長手方向延在長さが比較的短い複数個の調整部材３６を長手方向に間隔を置いて枠本体４に装着することもできる。
【００１６】
次に、上述したとおりの枠本体４と共に調整部材３６を含む窓枠２の使用様式について例示する。図４−Ａに図示するとおり、窓ガラスが薄いペアガラスＡ（このペアガラスＡは平行に配設された２枚のガラス板４６ａとこれらのガラス板４６ａの周縁部間に介在されたスペーサ４８ａとから構成されている）の場合には、調整部材３６を枠本体４に装着することなく枠本体４を単独で使用する。そして、枠本体４の片側壁８の上端に形成されているシール片装着手段にそれ自体は周知の形態でよいシール片５０ａを装着し、そしてまた枠本体４の底壁６の表面上に長手方向に適宜の間隔をおいて複数個のセッティングブロック５２ａを配設した後に、ペアガラスＡの縁部を窓ガラス縁部受入空間１０内に収容する。しかる後、枠本体４の押縁基部装着開口１２に、それ自体は周知の形態でよい比較的厚い押縁５４ａの基部を装着してペアガラスＡの縁部を固定する。
【００１７】
図４−Ｂに図示するとおり、窓ガラスが比較的薄いトリプルガラスＢ（このトリプルガラスＢは平行に配列された３枚のガラス板４６ｂとこれらのガラス板４６ｂの周縁部に介在された２個のスペーサ４８ｂとから構成されている）の場合にも、調整部材３６を枠本体４に装着することなく枠本体４を単独で使用する。そして、枠本体４の片側壁８の上端に形成されているシール片装着手段の表面にシート状のシール片５０ｂを貼着し、そしてまた枠本体４の底壁６の表面上に長手方向に適宜の間隔を置いて複数個のセッティングブロック５２ｂを配設した後に、まだペアガラスＡの縁部を窓ガラス縁部受入空間１０内に収容する。しかる後、枠本体４の押縁基部装着開口１２に、それ自体は周知の形態でよい中程度の厚さの押縁５４ｂの基部を装着してペアガラスＢの縁部を固定する。
【００１８】
一方、図４−Ｃに図示するとおり、窓ガラスが比較的厚いトリプルガラスＣ（このトリプルガラスＣは平行に配列された３枚のガラス板４６ｃとこれらのガラス板４６ｃの周縁部に介在された２個のスペーサ４８ｃとから構成されている）の場合には、枠本体４の所要部位に調整部材３６を装着する。そして、枠本体４の片側壁８の上端に形成されているシール片装着手段の表面にシート状のシール片５０ｃを装着し、そしてまた枠本体４の底壁６の表面上に長手方向に適宜の間隔をおいて複数個のセッティングブロック５２ｃを配設した後に、トリプルガラスＣの縁部を窓ガラス縁部受入空間１０内に収容する。しかる後、枠本体４の押縁基部装着開口１２に、それ自体は周知の形態でよい比較的薄い押縁５４ｃの基部を装着してトリプルガラスＣの縁部を固定する。枠本体４の所要部位に調整部材３６を装着することによって押縁基部装着開口１２の幅方向内側部が塞がれている故に、比較的薄い押縁５４ｃを特殊な形態に変更する必要なく所要とおりに装着することができる。セッティングブロック５０ｃの厚さは上記セッティングブロック５０ａ及び５０ｂに比べて調整部材３６の第一の部分３８の厚さ分だけ薄く、それ故に上記ペアガラスＡ及びトリプルガラスＢと実質上同一の面積（縦及び横寸法）を有するトリプルガラスＣを使用することが許容されるのが好適である。
【００１９】
図５及び図６は、本発明に従って構成された窓枠の他の好適実施形態を図示している。全体を番号１０２で示す窓枠も、枠本体１０４と共に調整部材１３６とを含んでいる。枠本体１０４は図１及び図２に図示する枠本体４と同一である。一方、図５及び図６に図示する調整部材１３６は、枠本体１０４に所要とおりに装着された時に枠本体１０４の受壁１２８の表面に沿って延びる第一の部分１３８、この第一の部分１３８の幅方向内側部から押縁基部装着開口１１２に向かって延びる第二の部分１４０と、押縁基部装着開口１１２の幅方向内側縁から幅方向外方に延びる第三の部分１４２と、そして更に第一の部分１４８の幅方向外側部から枠本体１０４の底壁１０６に向かって延び、上端は押縁基部装着開口１１２よりも幅方向外側において底壁１０６の裏面に対向する第四の部分１４４とを有する。第二の部分１４０の幅方向内側面には押縁基部装着開口１１２よりも幅方向内側において底壁１０６の裏面に対向する突条１４５が形成されている。かような調整部材１３６は、枠本体１０４に対して図５に二点鎖線１３６Ａで示す位置及び二点鎖線１３６Ｂで示す位置を介して移動して幾分弾性変形させることによって図５に実線で示す所要部位に装着することができる。調整部材１３６が枠本体１０４の所要部位に装着されると、第三の部分１４２が押縁基部装着開口１１２の幅方向内側部を塞ぎ、押縁基部装着開口１１２の開口幅がＷ２に低減される。そして、第四の部分１４４の上端が底壁１０６の裏面に対向すると共に突条１４５が底壁１０６の裏面に対向することによって所要部位から変位することが防止される。調整部材１３６も硬質塩化ビニルの如き適宜の合成樹脂から押出成形によって成形することができる。また、図１及び図３に図示する調整部材３６の場合と同様に、調整部材１３６も枠本体４の長手方向に連続的延在する形態であるのが好適であるが、所望ならば長手方向延在長さが比較的短い複数個の調整部材３６を長手方向に間隔を置いて枠本体４に装着することもできる。
【００２０】
図５及び図６に図示する窓枠１０２の場合にも、図４−Ａ及び図４−Ｂに図示する如く、窓ガラスが薄いペアガラスＡ或いは比較的薄いトリプルガラスＢである場合には、調整部材１３６が枠本体１０４に装着されることはなく、枠本体１０４が単独で使用される。一方、図７に図示する如く、窓ガラスが比較的厚いトリプルガラスＣである場合には、枠本体１０４の所要部位に調整部材１３６が装着される。そして、枠本体１０４の片側壁１０８の上端に形成されているシール片装着手段の表面にシート状のシール片１５０ｃを装着し、そしてまた枠本体１０４の底壁１０６の表面上に長手方向に適宜の間隔をおいて複数個のセッティングブロック１５２ｃを配設した後に、トリプスガラスＣの縁部を窓ガラス縁部受入空間１１０内に収容する。しかる後、枠本体１０４の押縁基部装着開口１１２に、それ自体は周知の形態でよい比較的薄い押縁１５４ｃの基部を装着してペアガラスＣの縁部を固定する。この場合も、枠本体１０４の所要部位に調整部材１３６を装着することによって押縁基部装着開口１１２の幅方向内側部が塞がれている故に、比較的薄い押縁１５４ｃを特殊な形態に変更する必要なく所要とおりに装着することができる。セッティングブロック１５０ｃは図４−Ａ及び図４−Ｂに示すセッティングブロック５０ａ及び５０ｂと同様の厚さを有するものでよい。
【００２１】
図８及び図９には、可動窓の窓枠（可動窓の窓枠は通常「框」と称されているが、本明細書においては語句「窓枠」を使用し、従って本明細書における語句「窓枠」は嵌め殺し窓の窓枠のみならず可動窓の窓枠即ち框も含有する）として使用される、本発明に従って構成された窓枠（即ち框）の好適実施形態が図示されている。全体を番号２０２で示す窓枠も枠本体（即ち框本体）２０４と調整部材２３６とを含んでいる。それ自体は周知の形態でよい図示の枠本体２０４は、図２に図示する上記枠本体４における底壁６及び片側壁８と実質上同一の底壁２０６及び片側壁２０８を有し、底壁２０６と片側壁２０８は窓ガラス縁部収容空間２１０を規定している。底壁２０６の他側部（外側部）には所定幅Ｗ１で長手方向に延在する押縁基部装着開口２１２が形成されている。一方、片側壁２０８の上端には幅方向外側に突出する横断面形状がＬ字状の突条２１４及び横断面形状が逆Ｌ字状の突条２１６によって規定されたシール片装着手段が配設されている。枠本体２０４は、更に、底壁２０６の他端部（外側端部）から図８及び図９において下方に垂下する外壁２２４、及び片側壁２０８の内側を片側壁２０８と実質上平行に延びる内壁２２２を有する。内壁２２２の片端（図８及び図９において上端）は片側壁２０８に接続されており、他端には図８及び図９において底壁２０６の下方を底壁２０６と実質上平行に延びる基壁２１８が接続されている。基壁２１８の他端（図８及び図９において左端）には逆チャンネル状の補強壁２２７が接続されており、この補強壁２２７と底壁２０６とは補強壁２２９によって接続されている。枠本体２０４は、更に、底壁２０４の下方を底壁２０６と実質上平行に延びる受壁２２８（この受壁２２８は図１及び図２に図示する枠本体４における受壁２８に対応する）、受壁２２８と底壁２０６とを接続する接続壁２３１、上記補強壁２２７と外壁２２４との間を延在する補強壁２３３、及び補強壁２３３から図８及び図９において下方に延びる付加壁２３５を有する。外壁２２４と付加壁２３５とは底壁２０６と実質上平行に延びる壁部によって接続されている。付加壁２３５の下端には、幅方向外側に突出する横断面形状が逆Ｌ字状の突条２３７及び横断面形状がＬ字状の突条２３９によって規定されたシール片装着手段が配設されている。一方、調整部材２３６は図１及び図３に図示する調整部材３６と実質上同一であり、枠本体２０４の底壁２０６と調整部材２３６との関係は図１に図示する窓ガラス枠２における枠本体４の底壁６と調整部材３６との関係と実質上同一である。
【００２２】
図８及び図９に図示する窓枠２０２の場合にも、図４−Ａ及び図４−Ｂに図示する場合と同様に、窓ガラスが薄いペアガラスＡ或いは比較的薄いトリプルガラスＢである場合には、調整部材２３６が枠本体２０４に装着されることはなく、枠本体２０４が単独で使用される。一方、図１０に図示する如く、窓ガラスが比較的厚いトリプルガラスＣの場合には、図４−Ｃに図示する場合と同様に、枠本体２０４の所要部位に調整部材２３６を装着する。そして、枠本体２０４の片側壁２０８の上端に形成されているシール片装着手段の表面にシート状のシール片２５０ｃを装着し、そしてまた枠本体２０４の底壁２０６の表面上に長手方向に適宜の間隔をおいて複数個のセッティングブロック２５２ｃを配設した後に、トリプルガラスＣの縁部を窓ガラス縁部受入空間２１０内に収容する。しかる後、枠本体２０４の押縁基部装着開口２１２に、それ自体は周知の形態でよい比較的薄い押縁２５４ｃの基部を装着してトリプルガラスＣの縁部を固定する。図９に図示する枠本体２０４に調整部材２３６を装着することに代えて、図６に図示する調整部材１３６と実質上同一の調整部材を装着することもできることは多言するまでもない。
【００２３】
トリプルガラスＣが固定された窓枠２０２は、建造物の躯体における窓開口規定部位に固定された固定窓枠３０２に、周知の連結機構を介して例えば実質上水平に延びる旋回軸線を中心として旋回自在に装着される。図１０に二点鎖線で示す固定窓枠３０２は図２に図示する窓枠２と実質上同一である。固定窓枠３０２に窓枠２０２を装着する際には、図１０に二点鎖線で示す如く、窓枠２０２のシール片装着手段に適宜のシール片２４１が装着されると共に固定窓枠３０２のシール片装着手段にも適宜のシール片３０３が装着される。
【符号の説明】
【００２４】
２：窓枠
４：枠本体
６：底壁
８：片側壁
１０：窓ガラス縁部収容空間
１２：押縁基部装着開口
３６：調整部材
３８：調整部材の第一の部分
４０：調整部材の第二の部分
４２：調整部材の第三の部分
４４：調整部材の第四の部分
１０２：窓枠
１０４：枠本体
１０６：底壁
１０８：片側壁
１１０：窓ガラス縁部収容空間
１１２：押縁基部装着開口
１３６：調整部材
１３８：調整部材の第一の部分
１４０：調整部材の第二の部分
１４２：調整部材の第三の部分
１４４：調整部材の第四の部分
２０２：窓枠（框）
２０４：枠本体（框本体）
２０６：底壁
２０８：片側壁
２１０：窓ガラス縁部収容空間
２１２：押縁基部装着開口
２３６：調整部材
Ａ：ペアガラス
Ｂ：比較的薄いトリプルガラス
Ｃ：比較的厚いトリプルガラス
【図１】
0006681214.tif 000002
【図２】
0006681214.tif 000003
【図３】
0006681214.tif 000004
【図４】
0006681214.tif 000005
【図５】
0006681214.tif 000006
【図６】
0006681214.tif 000007
【図７】
0006681214.tif 000008
【図８】
0006681214.tif 000009
【図９】
0006681214.tif 000010
【図１０】
0006681214.tif 000011